(57)【要約】【課題】従来よりも部品点数を削減し、組立性を良くする。【解決手段】切欠部１０を有する板状に形成され、互いに逆方向に立設された端子１１０，１２０および端子１３０，１４０を有する端子部１と、切欠部２０を有する板状に形成され、互いに逆方向に立設された端子２１１，２１２および端子２２３，２２４を有する端子部２と、端子部１，２が互いに直交し合うように、それらの切欠部を互いに填め合わせた状態で、端子部１，２の両端部を保持する形状に形成され、端子部１，２の各端子のうち２つの端子１１０，１２０と電気的に接続される一対の接続子３４１，３４２を有するハウジング３とを備えた。【選択図】　図１
2004079188.tif 000002
【特許請求の範囲】
【請求項１】
一の方向の一端部にその一の方向に沿った切欠部を有する板状に形成され、当該切欠部の片側における一の方向の両端部に互いに逆方向に立設された第１および第２端子を有するとともに、当該切欠部の別の片側における一の方向の両端部に互いに逆方向に立設された第３および第４端子を有する第１端子部と、
一の方向の一端部にその一の方向に沿った切欠部を有する板状に形成され、当該切欠部の片側における一の方向の両端部に互いに逆方向に立設された第１および第２端子を有するとともに、当該切欠部の別の片側における一の方向の両端部に互いに逆方向に立設された第３および第４端子を有する第２端子部と、
前記第１端子部および前記第２端子部が互いに直交し合うように、それらの切欠部を互いに填め合わせた状態で、前記第１端子部および前記第２端子部の一の方向の両端部を保持する形状に形成され、前記第１端子部および前記第２端子部の各端子のうち２つの端子と電気的に接続される一対の接続子を有するハウジングと
を備えることを特徴とする電池パック。
【請求項２】
前記ハウジングは、前記第１端子部および前記第２端子部の一の方向の両端部を回転自在に保持し、前記２つの端子は、前記第１端子部および前記第２端子部の回転に応じて、前記一対の接続子と電気的に接離することを特徴とする請求項１記載の電池パック。
【請求項３】
前記ハウジングは、前記第１端子部および前記第２端子部の一の方向の両端部を回転自在に保持するための両端部と、これら両端部間に架設された棒状の連結部とにより構成されることを特徴とする請求項１または２記載の電池パック。
【請求項４】
前記第１端子部の第１から第４端子のうち、前記第１端子部の切欠部側の２つの端子は互いに逆方向に立設され、前記第２端子部の第１から第４端子のうち、前記第２端子部の切欠部側の２つの端子は互いに逆方向に立設されていることを特徴とする請求項１から３のいずれかに記載の電池パック。
【請求項５】
前記第１端子部は、前記一の方向と直交する方向の両端部のうち少なくとも一方に凹部を有し、前記第２端子部は、前記一の方向と直交する方向の両端部のうち少なくとも一方に凹部を有することを特徴とする請求項１から４のいずれかに記載の電池パック。
【請求項６】
前記第１端子部の第１から第４端子のうち、第１および第２端子は前記一対の接続子と電気的に接離され、第３および第４端子はダイオードを介して電気的に接続され、前記第２端子部の第１から第４端子のうち、第１および第２端子は同一の導電性部材により構成され、第３および第４端子は同一の導電性部材により構成されることを特徴とする請求項１から５のいずれかに記載の電池パック。
【発明の詳細な説明】
【０００１】
【発明の属する技術分野】
本発明は、例えば携帯電話の臨時電源（携帯電話用緊急充電器）などとして使用可能な電池パックに関するものである。
【０００２】
【従来の技術】
図３に従来の電池パックの構成例を示す。この図に示す電池パックは、上ケースＡと、下ケースＢと、端子金具Ｃと、電池カバーＤと、接触子Ｅと、コネクタＦと、コネクタカバーＧと、基板Ｈと、ケース固定ネジＩとにより構成され、携帯電話の臨時電源として使用することができるようになっている。なお、図３中の４は単４形の電池である。
【０００３】
【発明が解決しようとする課題】
しかしながら、図３に示した従来の電池パックでは、部品点数が多く、組立て性が悪いという問題があった。また、未使用時には、コネクタの接触子の短絡を防止するためにコネクタカバーをコネクタに被せる必要があった。また、電池交換の際、電池カバーを着脱する必要があった。さらに、電池の装着方向が一定でないために極性を間違えて電池が装着されることがあった。
【０００４】
本発明は、上記事情に鑑みてなされたものであり、従来よりも部品点数を削減することができ、組立性を良くすることができる電池パックを提供することを目的とする。
【０００５】
【課題を解決するための手段】
上記課題を解決するための請求項１記載の発明の電池パックは、一の方向の一端部にその一の方向に沿った切欠部を有する板状に形成され、当該切欠部の片側における一の方向の両端部に互いに逆方向に立設された第１および第２端子を有するとともに、当該切欠部の別の片側における一の方向の両端部に互いに逆方向に立設された第３および第４端子を有する第１端子部と、一の方向の一端部にその一の方向に沿った切欠部を有する板状に形成され、当該切欠部の片側における一の方向の両端部に互いに逆方向に立設された第１および第２端子を有するとともに、当該切欠部の別の片側における一の方向の両端部に互いに逆方向に立設された第３および第４端子を有する第２端子部と、前記第１端子部および前記第２端子部が互いに直交し合うように、それらの切欠部を互いに填め合わせた状態で、前記第１端子部および前記第２端子部の一の方向の両端部を保持する形状に形成され、前記第１端子部および前記第２端子部の各端子のうち２つの端子と電気的に接続される一対の接続子を有するハウジングとを備えることを特徴とする。
【０００６】
請求項２記載の発明は、請求項１記載の電池パックにおいて、前記ハウジングは、前記第１端子部および前記第２端子部の一の方向の両端部を回転自在に保持し、前記２つの端子は、前記第１端子部および前記第２端子部の回転に応じて、前記一対の接続子と電気的に接離することを特徴とする。
【０００７】
請求項３記載の発明は、請求項１または２記載の電池パックにおいて、前記ハウジングは、前記第１端子部および前記第２端子部の一の方向の両端部を回転自在に保持するための両端部と、これら両端部間に架設された棒状の連結部とにより構成されることを特徴とする。
【０００８】
請求項４記載の発明は、請求項１から３のいずれかに記載の電池パックにおいて、前記第１端子部の第１から第４端子のうち、前記第１端子部の切欠部側の２つの端子は互いに逆方向に立設され、前記第２端子部の第１から第４端子のうち、前記第２端子部の切欠部側の２つの端子は互いに逆方向に立設されていることを特徴とする。
【０００９】
請求項５記載の発明は、請求項１から４のいずれかに記載の電池パックにおいて、前記第１端子部は、前記一の方向と直交する方向の両端部のうち少なくとも一方に凹部を有し、前記第２端子部は、前記一の方向と直交する方向の両端部のうち少なくとも一方に凹部を有することを特徴とする。
【００１０】
請求項６記載の発明は、請求項１から５のいずれかに記載の電池パックにおいて、前記第１端子部の第１から第４端子のうち、第１および第２端子は前記一対の接続子と電気的に接離され、第３および第４端子はダイオードを介して電気的に接続され、前記第２端子部の第１から第４端子のうち、第１および第２端子は同一の導電性部材により構成され、第３および第４端子は同一の導電性部材により構成されることを特徴とする。
【００１１】
【発明の実施の形態】
図１は本発明に係る一実施形態の電池パックの構成図、図２は同電池パックの組立説明図である。ただし、図１（ａ）〜（ｃ）はハウジングの正面図、上面図および右側面図をそれぞれ示し、（ｄ）〜（ｆ）は一方の端子部の正面図、上面図および右側面図をそれぞれ示し、（ｇ）〜（ｉ）は他方の端子部の正面図、上面図および右側面図をそれぞれ示す。
【００１２】
本実施形態の電池パックは、例えば、携帯電話の臨時電源および携帯電話の内蔵バッテリの充電器として使用可能なものであり、図１に示すように、端子部１と、端子部２と、ハウジング３とにより構成されている。
【００１３】
端子部１は、一の方向（図１（ｄ）では左右方向）の一端部（図では右端部）中央付近にその一の方向に沿った切欠部１０を有し一の方向が長手方向となる板状に絶縁性樹脂により形成され、切欠部１０の片側（図の例えば上側）における一の方向の両端部に互いに逆方向に立設された端子１１０，１２０を有しているとともに、切欠部１０の別の片側（下側）における一の方向の両端部に互いに逆方向に立設された端子１３０，１４０を有している。
【００１４】
ここで、端子部１は、インサート成形により端子金具１１，１２，１３，１４が組み込まれることによりそれらを保持し、端子１１０，１２０，１３０，１４０は、それぞれ端子金具１１，１２，１３，１４の一の方向に露出する一端を上述の向きに屈曲して設けられ、切欠部１０側の２つの端子１２０，１４０は互いに逆方向に立設されている。具体的には、図１（ｄ）において、端子１１０，１４０は紙面に対して裏面側に立設され、端子１２０，１３０は紙面に対して手前側に立設されている（図１（ｅ），（ｆ）参照）。
【００１５】
また、端子金具１１，１２は、それぞれＬ字状に形成され、他端が可動接点１１１，１２１として一の方向と直交する方向の片側（図１（ｄ）では上下方向の上側）中央寄りに露出している。他方、端子金具１３，１４は、それぞれ基本的に一の方向に伸びる板状に形成され、他端が素子の接続端子１３１，１４１として露出し、これら接続端子１３１，１４１間には、逆流（逆充電）防止用のダイオードＤ１が接続されている。
【００１６】
さらに、端子部１における一の方向と直交する方向の両端部のうち、一方の端部（図１（ｄ）では下方の端部）には、一の方向に伸びる凹部１５が形成されている。
【００１７】
端子部２は、一の方向（図１（ｇ）では左右方向）の一端部（図では左端部）中央付近にその一の方向に沿った切欠部２０を有し一の方向が長手方向となる板状に絶縁性樹脂により形成され、切欠部２０の片側（図の例えば上側）における一の方向の両端部に互いに逆方向に立設された端子２１１，２１２を有しているとともに、切欠部２０の別の片側（下側）における一の方向の両端部に互いに逆方向に立設された端子２２３，２２４を有している。
【００１８】
ここで、端子部２は、インサート成形により一の方向に伸びる板状の端子金具２１，２２が組み込まれることによりそれらを保持し、端子２１１，２１２は端子金具２１の一の方向に露出する両端を上述の向きに屈曲して設けられる一方、端子２２３，２２４は端子金具２２の一の方向に露出する両端を上述の向きに屈曲して設けられ、切欠部２０側の２つの端子２１１，２２３は互いに逆方向に立設されている。具体的には、図１（ｇ）において、端子２１１，２２４は紙面に対して裏面側に立設され、端子２１２，２２３は紙面に対して手前側に立設されている（図１（ｈ），（ｉ）参照）。
【００１９】
また、端子部２における一の方向と直交する方向の両端部には、一の方向に伸びる凹部２５，２６が形成されている。
【００２０】
ハウジング３は、端子部１，２が互いに直交し合うように、それらの切欠部１０，２０を互いに填め合わせた状態で、端子部１，２の一の方向の両端部を保持する形状に形成され、端子部１，２の各端子のうち２つの端子１１０，１２０とそれぞれ可動接点１１１，１２１を介して電気的に接続される一対の接続子３４１，３４２を有している。
【００２１】
より具体的には、ハウジング３は、端子部１，２の一の方向の両端部を回転自在に保持するための有底円筒状の両端部３１，３２と、これら両端部３１，３２間に架設された棒状の連結部３３と、この連結部３３の中央部に外向きに突設された携帯電話用のコネクタ部３４とを一体に有する形状に絶縁性樹脂により形成され、上述の接続子３４１，３４２は、コネクタ部３４に圧入固定で組み込まれている。
【００２２】
このように構成される電池パックの組立手順について説明すると、先ず、図２（ｅ）に示すように、端子部１，２が互いに直交し合うように、それらの切欠部１０，２０を互いに填め合わせて、図２（ｄ）の組み合わされた状態にする。このとき、図２（ｄ），（ｅ）の例では、端子１１０は端子２１２と対向し、端子１２０は端子２２３と対向し、端子１３０は端子２２４と対向し、端子１４０は端子２１１と対向する。
【００２３】
続いて、図２（ｄ）の組み合わされた端子部１，２を図２（ｃ）のハウジング３の両端部３１，３２間に組み込む。これにより、本実施形態の電池パックの組立は完了する。
【００２４】
この後、図２（ａ）に示すように、４本の電池（例えば単４形電池）４を全て正極性を例えば右側にして電池パックに順次装着する。これにより、４本の電池４が直列に接続され、端子１２０が正極性端子となり、端子１１０が負極性端子となる。すなわち、端子１１０、電池４、端子２１２、端子２１１、電池４、端子１４０、ダイオードＤ１、端子１３０、電池４、端子２２４、端子２２３、電池４、端子１２０の経路が形成されるのである。
【００２５】
このように４本の電池４が端子部１，２に装着された電池パックでは、端子部１，２がハウジング３の両端部３１，３２によって回転自在に保持されるので、図２（ｂ）に示すように、２つの端子１１０，１２０が、端子部１，２の回転に応じて、それぞれ可動接点１１１，１２１を介して一対の接続子３４１，３４２と電気的に接離する。つまり、端子部１の可動接点１１１，１２１がコネクタ部３４の直下に来てそのコネクタ部３４に組み込まれた接続子３４１，３４２と接触することにより、端子１１０，１２０はそれぞれ可動接点１１１，１２１を介して接続子３４１，３４２と電気的に接続する。そして、可動接点１１１，１２１がコネクタ部３４の直下から外れて接続子３４１，３４２から離隔すると、端子１１０，１２０は接続子３４１，３４２と電気的に遮断する。
【００２６】
以上、本実施形態によれば、電池パックは、端子部１，２と、ハウジング３とにより構成されるので、従来よりも部品点数を削減することができ、コストダウンが可能となり、ねじ止めや圧入などの固定手段を使用することなく組み立てられるので、組立性を良くすることができる。
【００２７】
また、２つの端子１１０，１２０が、端子部１，２の回転に応じて、可動接点１１１，１２１を介して一対の接続子３４１，３４２とそれぞれ電気的に接離するので、コネクタ３４にカバーを被せなくても、端子部１，２を回転して可動接点１１１，１２１を接続子３４１，３４２から離隔しておけば、コネクタ３４を電池４から絶縁することができる。
【００２８】
また、ハウジング３が、両端部３１，３２と、連結部３３と、コネクタ部３４とを一体に有する形状に形成されているので、電池４を簡単に交換することができる。
【００２９】
また、端子部１において、端子１１０，１２０が互いに逆方向に立設され、端子１３０，１４０が互いに逆方向に立設され、端子部２において、端子２１１，２１２が互いに逆方向に立設され、端子２２３，２２４が互いに逆方向に立設され、そして、これらの端子のうち、切欠部１０側の２つの端子１２０，１４０が互いに逆方向に立設され、切欠部２０側の２つの端子２１１，２２３が互いに逆方向に立設されているので、極性を揃えて電池４を端子部１，２に装着することができ、電池装着時に極性を間違えて電池が装着されることを防止することができる。
【００３０】
また、端子部１が凹部１５を有し、端子部２が凹部２５，２６を有するので、装着された電池４の側部を指先で掴むことができるようになり、電池４を交換しやすくなる。
【００３１】
さらに、端子１１０，１２０が一対の接続子３４１，３４２と電気的に接離され、端子１３０，１４０がダイオードＤ１を介して電気的に接続され、端子２１１，２１２が同一の端子金具２１により構成され、端子２２３，２２４が同一の端子金具２３により構成されるので、装着された電池を、ダイオードＤ１を介して直列に接続することができ、極性を間違って電池が装着されたときに逆極性の電圧が接続子３４１，３４２に印加することを防止することができる。
【００３２】
なお、本実施形態では、単４形電池を例に挙げたが、端子部１，２およびハウジング３の各部の寸法を変更することにより、他の形の電池を使用することができることは言うまでもない。
【００３３】
また、端子部１，２は別体の部品になっているが、一体化された部品であっても構わない。
【００３４】
【発明の効果】
以上のことから明らかなように、請求項１記載の発明は、一の方向の一端部にその一の方向に沿った切欠部を有する板状に形成され、当該切欠部の片側における一の方向の両端部に互いに逆方向に立設された第１および第２端子を有するとともに、当該切欠部の別の片側における一の方向の両端部に互いに逆方向に立設された第３および第４端子を有する第１端子部と、一の方向の一端部にその一の方向に沿った切欠部を有する板状に形成され、当該切欠部の片側における一の方向の両端部に互いに逆方向に立設された第１および第２端子を有するとともに、当該切欠部の別の片側における一の方向の両端部に互いに逆方向に立設された第３および第４端子を有する第２端子部と、前記第１端子部および前記第２端子部が互いに直交し合うように、それらの切欠部を互いに填め合わせた状態で、前記第１端子部および前記第２端子部の一の方向の両端部を保持する形状に形成され、前記第１端子部および前記第２端子部の各端子のうち２つの端子と電気的に接続される一対の接続子を有するハウジングとを備えるので、従来よりも部品点数を削減することができ、組立性を良くすることができる。
【００３５】
請求項２記載の発明は、請求項１記載の電池パックにおいて、前記ハウジングは、前記第１端子部および前記第２端子部の一の方向の両端部を回転自在に保持し、前記２つの端子は、前記第１端子部および前記第２端子部の回転に応じて、前記一対の接続子と電気的に接離するので、一対の接続子にカバーを被せなくても、第１端子部および第２端子部を回転して２つの端子を一対の接続子から電気的に絶縁しておけば、一対の接続子を電池から絶縁することができる。
【００３６】
請求項３記載の発明は、請求項１または２記載の電池パックにおいて、前記ハウジングは、前記第１端子部および前記第２端子部の一の方向の両端部を回転自在に保持するための両端部と、これら両端部間に架設された棒状の連結部とにより構成されるので、電池を簡単に交換することができる。
【００３７】
請求項４記載の発明は、請求項１から３のいずれかに記載の電池パックにおいて、前記第１端子部の第１から第４端子のうち、前記第１端子部の切欠部側の２つの端子は互いに逆方向に立設され、前記第２端子部の第１から第４端子のうち、前記第２端子部の切欠部側の２つの端子は互いに逆方向に立設されているので、極性を揃えて電池を第１端子部および第２端子部に装着することができ、電池装着時に極性を間違えて電池が装着されることを防止することができる。
【００３８】
請求項５記載の発明は、請求項１から４のいずれかに記載の電池パックにおいて、前記第１端子部は、前記一の方向と直交する方向の両端部のうち少なくとも一方に凹部を有し、前記第２端子部は、前記一の方向と直交する方向の両端部のうち少なくとも一方に凹部を有するので、装着された電池の側部を指先で掴むことができるようになり、電池を交換しやすくなる。
【００３９】
請求項６記載の発明は、請求項１から５のいずれかに記載の電池パックにおいて、前記第１端子部の第１から第４端子のうち、第１および第２端子は前記一対の接続子と電気的に接離され、第３および第４端子はダイオードを介して電気的に接続され、前記第２端子部の第１から第４端子のうち、第１および第２端子は同一の導電性部材により構成され、第３および第４端子は同一の導電性部材により構成されるので、装着された電池を、ダイオードを介して直列に接続することができ、極性を間違って電池が装着されたときに逆極性の電圧が一対の接続子に印加することを防止することができる。
【図面の簡単な説明】
【図１】本発明に係る一実施形態の電池パックの構成図である。
【図２】同電池パックの組立説明図である。
【図３】従来の電池パックの構成例を示す図である。
【符号の説明】
１　端子部
１０　切欠部
１１，１２，１３，１４　端子金具
１１０，１２０，１３０，１４０　端子
１１１，１２１　可動接点
Ｄ１　ダイオード
２　端子部
２０　切欠部
２１，２２　端子金具
２１１，２１２，２２３，２２４　端子
３　ハウジング
３１，３２　端部
３３　連結部
３４　コネクタ部
３４１，３４２　接続子
４　電池
【図１】
2004079188.tif 000003
【図２】
2004079188.tif 000004
【図３】
2004079188.tif 000005